(57)【要約】【課題】聴きたい音だけが窓を透過した感覚を、室内の人物に与えるための技術を提供する。【解決手段】窓ユニット２は、窓枠と窓枠によって支持される複層ガラス１４とを含み、室内外の空間を仕切る窓本体を含む。窓ユニット２の信号処理部２２は、複層ガラス１４のガラス１４２に入射した室外の音を検出する検出部２４から音信号を取得し、その取得した音信号にフィルタ処理を施す。フィルタ処理は、自然音のような室内の人物Ｕにとって快適な音を通過させ、騒音のような人物Ｕにとって不快な音を通過させないようにするフィルタ処理である。加振器２６は、そのフィルタ処理後の音信号が示す音を、ガラス１４４の振動により室内に放射する。【選択図】図２
2018078423.tif 000002
【特許請求の範囲】
【請求項１】
窓枠と前記窓枠によって支持される透光性を有する部材とを含む、室内外の空間を仕切る窓本体と、
室外の音を検出する検出部から音信号を取得する取得部と、
前記取得部が取得した音信号にフィルタ処理を施すフィルタ処理部と、
前記フィルタ処理後の音信号が示す音を、前記窓本体の位置又は前記窓本体の近傍から室内に放射する放音部と
を備える窓ユニット。
【請求項２】
前記部材に入射した前記室外の音を検出する前記検出部を備える
ことを特徴とする請求項１に記載の窓ユニット。
【請求項３】
前記検出部は、前記窓本体の場所とは異なる場所に配置される
ことを特徴とする請求項１に記載の窓ユニット。
【請求項４】
前記フィルタ処理により通過させる音、又は通過させない音を選択する選択部を備え、
前記フィルタ処理部は、前記選択部が選択した音を通過させ、又は通過させないように前記フィルタ処理を行う
ことを特徴とする請求項１から請求項３のいずれか１項に記載の窓ユニット。
【請求項５】
前記選択部は、前記フィルタ処理により特定の音を通過させた場合に利用者から入力された信号に基づいて、当該特定の音を前記通過させる音として選択するかどうかを判断する
ことを特徴とする請求項４に記載の窓ユニット。
【請求項６】
前記放音部は、前記部材と、前記フィルタ処理後の音信号に基づいて前記部材を振動させる加振器とを含む
ことを特徴とする請求項１から請求項５のいずれか１項に記載の窓ユニット。
【請求項７】
前記フィルタ処理部を含む信号処理部が、前記窓枠の上側部に配置されている
ことを特徴とする請求項１から請求項６のいずれか１項に記載の窓ユニット。
【請求項８】
前記フィルタ処理部は、所定の条件に応じてフィルタ条件を変更する
ことを特徴とする請求項１から請求項７のいずれか１項に記載の窓ユニット。
【請求項９】
窓枠と前記窓枠によって支持される透光性を有する部材とを含む、室内外の空間を仕切る窓本体と、
室外の音を検出する検出部が検出した音信号にフィルタ処理を施すフィルタ処理部と、
前記フィルタ処理後の音信号が示す音を、前記窓本体の位置又は前記窓本体の近傍から室内に放射する放音部と、
少なくとも前記放音部の放音を制御するための信号を取得するための通信を行う通信部と
を含む窓ユニットを１又は複数備える窓ユニットシステム。
【発明の詳細な説明】
【技術分野】
【０００１】
本発明は、聴きたい音だけが透過した感覚を、室内に居る人物に与えることのできる窓に関する。
【背景技術】
【０００２】
窓の防音対策に関し、従来から、様々な技術が提案されている。特許文献１の遮音装置は、室内又は室外の騒音を検出して、当該騒音を打ち消す制御音を発生させ、更に、発生させた制御音と騒音との干渉音を検出して、検出した干渉音と騒音とに基づいて干渉音が最小となるように制御音の発生を制御する。
【先行技術文献】
【特許文献】
【０００３】
【特許文献１】特開平８−３０５３７２号公報
【発明の概要】
【発明が解決しようとする課題】
【０００４】
近隣で行われている工事の音や、近隣の道路を頻繁に通過する自動車のエンジン音等の音は、人物にとって不快な音である場合がある。このような音は、その人物が居る室内にはなるべく届かないことが望ましい。一方で、室外からの音が室内に全く届かないことによる不都合もある。例えば急に雨が降った場合に、室内の人物がそれに気付かず、室外に干していた洗濯物が濡れてしまうことがある。
本発明は、上述した背景の下になされたものであり、聴きたい音だけが窓を透過した感覚を室内の人物に与えるための技術を提供することを目的とする。
【課題を解決するための手段】
【０００５】
上述した課題を解決するため、本発明の窓ユニットは、窓枠と前記窓枠によって支持される透光性を有する部材とを含む、室内外の空間を仕切る窓本体と、室外の音を検出する検出部から音信号を取得する取得部と、前記取得部が取得した音信号にフィルタ処理を施すフィルタ処理部と、前記フィルタ処理後の音信号が示す音を、前記窓本体の位置又は前記窓本体の近傍から室内に放射する放音部とを備える。
本発明の窓ユニットにおいて、前記部材に入射した前記室外の音を検出する前記検出部を備えてもよい。
本発明の窓ユニットにおいて、前記検出部は、前記窓本体の場所とは異なる場所に配置されてもよい。
本発明の窓ユニットにおいて、前記フィルタ処理により通過させる音、又は通過させない音を選択する選択部を備え、前記フィルタ処理部は、前記選択部が選択した音を通過させ、又は通過させないように前記フィルタ処理を行ってもよい。
この窓ユニットにおいて、前記選択部は、前記フィルタ処理により特定の音を通過させた場合に利用者から入力された信号に基づいて、当該特定の音を前記通過させる音として選択するかどうかを判断してもよい。
本発明の窓ユニットにおいて、前記放音部は、前記部材と、前記フィルタ処理後の音信号に基づいて前記部材を振動させる加振器とを含んでもよい。
本発明の窓ユニットにおいて、前記フィルタ処理部を含む信号処理部が、前記窓枠の上側部に配置されてもよい。
本発明の窓ユニットにおいて、前記フィルタ処理部は、所定の条件に応じてフィルタ条件を変更してもよい。
本発明の窓ユニットシステムは、窓枠と前記窓枠によって支持される透光性を有する部材とを含む、室内外の空間を仕切る窓本体と、室外の音を検出する検出部が検出した音信号にフィルタ処理を施すフィルタ処理部と、前記フィルタ処理後の音信号が示す音を、前記窓本体の位置又は前記窓本体の近傍から室内に放射する放音部と、少なくとも前記放音部の放音を制御するための信号を取得するための通信を行う通信部とを含む窓ユニットを１又は複数備える。
【発明の効果】
【０００６】
本発明によれば、聴きたい音だけが窓を透過した感覚を室内の人物に与えるための技術を提供することができる。
【図面の簡単な説明】
【０００７】
【図１】本発明の第１実施形態に係る窓ユニットシステムの説明図である。
【図２】同実施形態に係る窓ユニットを矢視II−II方向から見た縦断面図である。
【図３】同実施形態に係る信号処理部の電気的な構成を示すブロック図である。
【図４】同実施形態に係る窓ユニットで実行される処理の一例を示すフローチャートである。
【図５】本発明の第２実施形態に係る窓ユニットシステムの説明図である。
【図６】同実施形態に係る窓ユニットを矢視II−II方向と同じ方向から見た縦断面図である。
【図７】同実施形態に係る信号処理部の電気的な構成を示すブロック図である。
【発明を実施するための形態】
【０００８】
以下、図面を参照して本発明の実施形態を説明する。
［第１実施形態］
図１は、本発明の第１実施形態に係る窓ユニットシステム１を説明する図である。図１には、窓ユニットシステム１に含まれる１又は複数の窓ユニット２のうちの、一の窓ユニット２の正面図が示されている。窓ユニット２が複数存在する場合、これらは同じ室内の空間と室外の空間とを仕切ってもよいし、そうでなくてもよい。図２は、窓ユニット２を矢視II−II方向から見た縦断面図である。図１及び図２には、窓ユニット２が配置された建物の室内に居る人物として、人物Ｕが示されている。なお、図面においては、各要素の構成を分かりやすくするため、実際の寸法とは異ならせて図示してある。
【０００９】
窓ユニット２は、窓本体１０と、音源部２０とを含む。窓本体１０は、窓枠１２と、複層ガラス１４とを含み、室内外の空間を仕切る。窓本体１０は、いわゆる二重窓ガラスを構成する。窓枠１２は、方形枠状に形成された枠体である。窓枠１２は、建物の壁Ｗの開口部に配置されている。窓枠１２の素材は、例えば塩化ビニール樹脂又は金属であるが、これら以外の素材であってもよい。窓枠１２のうち、上側に位置する水平方向に延びる部分を上側部１２２、室内から見て右側に位置する鉛直方向に延びる部分を右側部１２４、下側に位置する水平方向に延びる部分を下側部１２６、室内から見て左側に位置する鉛直方向に延びる部分を左側部１２８とする。
【００１０】
複層ガラス１４は、対向配置された２枚のガラスとして、ガラス１４２、及びガラス１４４を含む。ガラス１４２は室外の空間に面し、ガラス１４４は室内の空間に面する。ガラス１４２、及びガラス１４４は、板状に形成されている。複層ガラス１４は、窓枠１２に嵌め込まれることにより、窓枠１２によって支持されている。複層ガラス１４は、一般に、単ガラスに比べて遮音性に優れている。このため、窓本体１０が閉められているときは、室外から室内に透過する音は、窓本体１０により効果的に遮断される。かかる複層ガラス１４は、透光性を有する部材の一例である。
【００１１】
また、壁Ｗの開口部には、窓本体１０を支持し、且つ窓本体１０を左右に移動可能にするためのレールが配置されている。窓本体１０の上方に配置されたレールを上側レール４０、下方に配置されたレールを下側レール５０とする。上側レール４０、及び下側レール５０の素材は、例えばアルミニウムであるが、これ以外の素材であってもよい。上側レール４０は、下方に開放した形状で、水平方向に延びている。下側レール５０は、上方に開放した形状で、水平方向に延びている。上側レール４０の開放した部分に窓枠１２の上側部１２２が、下側レール５０の開放した部分に窓枠１２の下側部１２６が、それぞれ嵌め込まれている。窓本体１０が開けられるときは、窓本体１０は室内から見て左方に、閉められるときは、窓本体１０は室内から見て右方に移動させられる。
【００１２】
なお、本実施形態では、窓本体１０の対となる窓ガラスとして、窓ガラス３０が配置されている。窓本体１０と窓ガラス３０とによって、いわゆる引き違い窓が構成されている。窓ガラス３０は、ここでは複層ガラスを有する一般的な窓ガラスと同じであり、本実施形態では詳細な説明を省略する。また、壁Ｗには、窓ガラス３０を開閉するためのレールも配置されているが、その説明も省略する。
【００１３】
音源部２０は、室外の音のうち、人物Ｕが聴きたい音をその人物Ｕに聴かせるための音源として機能する。音源部２０は、具体的には、信号処理部２２と、検出部２４と、加振器２６とを含む。信号処理部２２は、信号線Ｌ１，Ｌ２を用いて、検出部２４、及び加振器２６のそれぞれと電気的に接続されている。信号処理部２２は、本実施形態では、窓枠１２の内部、より具体的には、上側部１２２の内部に配置されている。上側部１２２には、信号線Ｌ１，Ｌ２を通すための穴が空けられている。
【００１４】
検出部２４は、ガラス１４２の室外側の面に配置された、振動検出子（振動ピックアップ）を含む。検出部２４は、室外の音であって、複層ガラス１４のガラス１４２に入射した音を検出する。検出部２４は、ガラス１４２の振動を検知して音信号に変換する。この音信号は、アナログ形式である。
【００１５】
信号処理部２２は、検出部２４から供給された音信号に所定の信号処理を施して、加振器２６に供給する。この信号処理は、ガラス１４２に入射した音のうちの一部の音を通過させ、残りの音を通過させないようにするフィルタ処理を含む。フィルタ処理について詳しくは後述する。信号処理部２２は、例えば、ＣＰＵ（Central Processing Unit）やＡＳＩＣ（Application Specific Integrated Circuit）、ＤＳＰ（Digital Signal Processor）で例示されるハードウェア回路、ＲＡＭ（Random Access Memory）やＲＯＭ（Read only Memory）で例示されるメモリ、無線通信回路やアンテナを含む無線通信部等を含んで構成される。無線通信の規格として、例えばＢｌｕｅｔｏｏｔｈ（登録商標）や、Ｗｉ−Ｆｉ（登録商標）があるが、これら以外の規格が採用されてもよい。
【００１６】
加振器２６は、ガラス１４２とは異なるガラスであるガラス１４４の室内側の面に配置されている。加振器２６は、例えばアクチュエータを含む。加振器２６は、信号処理部２２による処理後の音信号に基づいてガラス１４４を振動させる。これにより、ガラス１４４は、当該音信号が示す音を窓本体１０の位置から放射する。ガラス１４４から放射した音は、室内に居る人物Ｕが聴くことができる。
【００１７】
図３は、信号処理部２２の電気的な構成を示すブロック図である。以下、図３を参照しつつ、音源部２０の機能を詳細に説明する。信号処理部２２は、通信部２２０と、選択部２２２と、取得部２２４と、フィルタ処理部２２６と、出力部２２８とを含む。
【００１８】
通信部２２０は、外部の装置と通信を行う。通信部２２０は、少なくとも放音部Ｓの放音を制御するための信号を取得するための通信を行う。かかる信号として、フィルタ処理部２２６が行うフィルタ処理によって通過させる音、又は通過させない音を特定するための信号がある。通信部２２０は、ここでは前述した無線通信部を含むが、有線通信を行う機能を有してもよい。
【００１９】
選択部２２２は、フィルタ処理によって通過させる音、又は通過させない音を選択する。この音は、例えば、人物Ｕが積極的に聴きたいような、人物Ｕにとって快適な音である。かかる音の種類として、雨音や鳥の鳴き声等の自然に発生した音（つまり、自然音）がある。一方、フィルタ処理によって通過させない音として、例えば、人物Ｕが聴きたくない、人物Ｕにとって不快な音がある。かかる音の種類として、近隣で行われている工事の音や、近隣の道路を頻繁に通過する自動車のエンジン音等の騒音がある。一般に、二重窓や三重窓等を用いた場合、室外の音は直接的には室内に透過しにくい。よって、本実施形態のように、複層ガラス１４を用いて室外の音を室内に選択的に伝えるようにする場合には、選択部２２２が、低い音域の音を通過させない音として選択し、それよりも高い音域の音を通過させる音として選択する。
【００２０】
選択部２２２は、例えば、人物Ｕによって予め選択された（つまり、プリセットされた）音を、フィルタ処理によって通過させる音、又は通過させない音として選択する。例えば、人物Ｕは、所定のアプリケーションプログラムがインストールされた通信端末装置（例えば、スマートフォン）を用いて、かかる音を選択する操作を行う。この操作に従い、通信端末装置は、無線通信により、人物Ｕが選択した内容を通知する信号を、信号処理部２２へ送信する。選択部２２２は、通信部２２０を用いて、通信端末装置からその信号を取得（受信）する。
【００２１】
選択部２２２は、選択した通過させる音、又は通過させない音に応じてフィルタ処理部２２６のフィルタ条件を設定する。この設定は、例えば、フィルタ係数の設定である。フィルタ処理により通過させない音については、所定の周波数帯域（例えば、レベルが最も高い周波数帯域）のレベルが低くなるように、フィルタ条件が設定される。これ以外に、選択部２２２は、可聴域（例えば、２００Ｈｚ〜２ｋＨｚ）や音声帯域（例えば、２００Ｈｚ〜４ｋＨｚ）等の所定の周波数帯域全体のレベルを、所定量だけ低減させるように、フィルタ条件を設定してもよい（例えば、−２０ｄＢとする）。又は、選択部２２２は、フィルタ処理部２２６に音信号の加工を行わせるように、フィルタ処理により通過させる音についてのフィルタ条件を設定してもよい。フィルタ処理部２２６は、例えば、高域の音を若干強調してのびやかな音に加工したり、リバーブをかけて心地よい音に加工したりしてもよい。選択部２２２が通過させる音を選択する際には、このような加工方法も併せて設定できるようにしてもよい。
【００２２】
取得部２２４は、検出部２４によって検出された音を示す音信号を取得する。取得部２２４は、例えばＡ／Ｄ変換器を含み、この音信号をアナログ形式からデジタル形式に変換した後に、フィルタ処理部２２６に供給する。
【００２３】
フィルタ処理部２２６は、取得部２２４から供給された音信号に、設定されたフィルタ条件に応じたフィルタ処理を施す。フィルタ処理部２２６は、例えば、ＦＩＲフィルタ等のデジタルフィルタを含む。フィルタ処理部２２６は、少なくとも、選択部２２２によって通過させるように選択された音を通過させ、それ以外の音を通過させないように、音信号にフィルタ処理を施す。
【００２４】
出力部２２８は、フィルタ処理部２２６によるフィルタ処理後の音信号を、加振器２６に出力する。出力部２２８は、例えばＤ／Ａ変換器及び増幅器を含み、音信号をデジタル形式からアナログ形式に変換し、更に増幅した後に、加振器２６に出力する。加振器２６は、出力部２２８供給された音信号に基づいて、ガラス１４４を振動させる。加振器２６は、信号処理部２２による処理後の音信号に基づいてガラス１４４を振動させる。これにより音信号が示す音が窓本体１０の位置から放射する。即ち、加振器２６とガラス１４４によって、窓ユニット２の放音部Ｓが構成される。
【００２５】
以上説明した音源部２０の機能により、人物Ｕは、室外の音のうちの自身が聴きたい音を選択して、聴くことができるようになる。
【００２６】
ところで、選択部２２２は、フィルタ処理により通過させる音、又は通過させない音を、プリセット以外の方法で選択してもよい。選択部２２２は、例えば、或る特定の音を通過させた場合に人物Ｕから入力された信号に基づいて、当該特定の音をフィルタ処理により通過させる音として選択するかどうかを判断してもよい。かかる信号として、人物Ｕによる通信端末装置の操作に応じた信号がある。例えば、人物Ｕは、或る音が窓本体１０から聴こえてきた場合に、それを不快と感じたときは、所定時間内にその音を聴きたくない旨を指定する操作を行う。通信端末装置は、当該操作が行われた旨を、操作が行われた時刻とともに、信号処理部２２へ通知する。選択部２２２は、この通知を示す信号を受信すると、その受信の直前に通した特定の音を、以降は通過させないようにする。選択部２２２は、例えば、操作時刻から所定時間前までに検出された音のうち、所定の周波数帯域のレベルが所定値以上である音を、通過させない音として選択する。
【００２７】
人物Ｕから入力される信号は、人物Ｕの生体から検出された信号（つまり、生体信号）であってもよい。かかる信号の一例として、人物Ｕの脳波に応じた信号がある。或る特定の音を聴いた人物が、その音を快適と感じたか、又は不快と感じたかは、脳波の変化に基づいて推定することができる。そこで、脳波を計測する装置（図示略）は、人物Ｕの脳波を逐次計測する。人物が快適と感じたか、又は不快と感じたことを示す脳波が検出された場合には、選択部２２２は、その旨を示す信号を受信する。この信号は、脳波を計測する装置から信号処理部２２に送信されてもよいし、人物Ｕの通信端末装置から送信されてもよい。そして、選択部２２２は、受信した信号に基づいて、人物Ｕが快適と感じた脳波が計測されたときに通過させた特定の音を、以降も通過させ、不快と感じた脳波が計測されたときに通過させた特定の音を、以降は通過させないようにする。
【００２８】
図４は、窓ユニット２で実行される処理の一例を示すフローチャートである。
選択部２２２は、フィルタ処理により通過させる音、又は通過させない音を選択する（ステップＳ１）。ここでは。選択部２２２は、通信部２２０を介して取得した信号に基づいて、人物Ｕが行ったプリセットに従った選択を行う。選択部２２２は、ステップＳ１で選択した結果に基づいて、フィルタ処理部２２６のフィルタ条件を設定する（ステップＳ２）。フィルタ条件が設定されると、取得部２２４は、検出部２４によって検出された室外の音を示す音信号を取得する（ステップＳ３）。フィルタ処理部２２６は、設定されたフィルタ条件に従い、取得された音信号にフィルタ処理を施す（ステップＳ４）。出力部２２８は、フィルタ処理後の音信号を加振器２６に供給することで、当該音信号が示す音を、窓本体１０の位置から室内に放音させる（ステップＳ５）。次に、選択部２２２は。放音部Ｓの放音を制御するための信号を、通信部２２０を介して取得したかどうかを判断する（ステップＳ６）。かかる信号は、プリセット以外の方法で、フィルタ処理により通過させる音、又は通過させない音を選択するための信号である。ステップＳ６で「ＮＯ」と判定された場合は、窓ユニット２の処理はステップＳ３に戻される。ステップＳ６で「ＹＥＳ」と判定された場合は、窓ユニット２の処理はステップＳ１に戻されて、フィルタ処理により通過させる音、又は通過させない音の選択が行われる。
【００２９】
このようにして、窓ユニット２は、人物Ｕが積極的に聴きたい音、又は聴きたくない音を学習する。これにより、窓ユニット２は、より人物Ｕの好みに適したフィルタ条件のフィルタ処理によって、通過させる音を選択することができる。
【００３０】
［第２実施形態］
次に、本発明の第２実施形態を説明する。本実施形態では、室外の音を検出する装置が、窓本体１０に配置された検出部２４でない点で、上述した第１実施形態と相違する。具体的には、窓本体１０が配置された場所とは異なる場所に配置された検出装置が、室外の音を検出する。以下で説明する要素のうち、上述した第１実施形態と同じ要素については同じ符号を用いて表し、対応する要素については符号の末尾に「Ａ」を付して表す。
【００３１】
図５は、本実施形態に係る窓ユニットシステム１Ａを説明する図である。窓ユニットシステム１Ａは、１又は複数の窓ユニット２Ａを含む。窓ユニット２Ａは、窓本体１０Ａと、音源部２０Ａとを含む。図５には、窓ユニット２Ａが設けられた建物を上方から見た図が示されている。建物の室内であって、壁Ｗで囲まれた室内には、人物Ｕが居る。検出装置６０は、室外の窓本体１０とは異なる窓７０の近傍に配置されている。窓７０の近傍には森１００が存在する。窓本体１０の近傍には、自動車が頻繁に通過する道路である騒音源２００が存在する。このため、検出装置６０の配置された場所は、窓本体１０の場所よりも自然音を検出するのに適している。
【００３２】
図６は、窓ユニット２Ａを、図２の矢視II−II方向と同じ方向から見た縦断面図である。窓本体１０Ａは、窓枠１２Ａと、複層ガラス１４とを含む。窓枠１２Ａは、上側部１２２の内部に信号処理部２２Ａを有する点、及び信号線Ｌ１を通すための穴が開けられていない点で、窓枠１２と相違するが、その余の構成は同じである。音源部２０Ａは、検出部２４に代えて検出装置６０から音信号を取得する点で、音源部２０と相違するが、その余の構成は同じである。
【００３３】
図７は、検出装置６０、及び信号処理部２２Ａの電気的な構成を示すブロック図である。図７に示すように、信号処理部２２Ａは、選択部２２２と、取得部２２４Ａと、フィルタ処理部２２６と、出力部２２８とを含む。
検出装置６０は、検出部６２と、Ａ／Ｄ変換器６４と、出力部６６とを含む。検出部６２は、マイクロフォンである。検出部６２は、外部の音を検出し、検出した音を示す音信号を、Ａ／Ｄ変換器６４に供給する。検出部６２が、図５で説明した窓７０の近傍に配置されている場合、検出部６２は窓７０に入射する音を検出する。Ａ／Ｄ変換器６４は、検出部６２から供給された音信号をアナログ形式からデジタル形式に変換した後に、出力部６６に供給する。出力部６６は、Ａ／Ｄ変換器６４から供給された音信号を、音源部２０Ａに出力する。出力部６６は、例えば無線通信モジュールを含み、無線通信により、音信号を出力する。出力部６６Ａは、無線通信でなく有線の通信により、音信号を出力してもよい。
【００３４】
取得部２２４Ａは、検出装置６０から音信号を出力する。取得部２２４Ａは、例えば無線通信インタフェースを含み、無線通信により音信号を取得する。取得部２２４Ａは、取得した音信号を、フィルタ処理部２２６に供給する。取得部２２４Ａは、無線通信でなく有線の通信により、検出装置６０から音信号を取得してもよい。
選択部２２２、フィルタ処理部２２６、及び出力部２２８は、上述した第１実施形態と同じ構成でよい。つまり、信号処理部２２Ａは、窓本体１０Ａから離れた場所、ここでは窓本体１０Ａとは別の窓７０に入射する音と同じ音を、窓本体１０の位置から室内に放射するように、加振器２６を制御する。
【００３５】
窓ユニット２Ａで実行される処理の流れは、取得部２２４Ａが検出装置６０から音信号を取得する点で、上述した第１実施形態の窓ユニット２で実行される処理の流れと相違する。その余の処理の流れは、窓ユニット２で実行される処理の流れと同じでよい。
【００３６】
以上説明した第２実施形態によれば、人物Ｕに対し、窓本体１０Ａから離れた別の窓７０に入射する音が、あたかも窓本体１０Ａを透過したかのような感覚を与えることができる。また、窓本体１０Ａは閉められているので、騒音源２００が近傍に存在していても、窓本体１０Ａに入射した音を室内に通過させる場合に比べて、人物Ｕを快適にさせることも可能である。
【００３７】
［変形例］
本発明は、上述した実施形態と異なる形態で実施することが可能である。本発明は、例えば、以下のような形態で実施することも可能である。また、以下に示す変形例は、各々を適宜に組み合わせてもよい。
（変形例１）
フィルタ処理部２２６は、所定の条件に応じてフィルタ条件を変更してもよい。フィルタ処理部２２６は、例えば、天候を条件としてフィルタ条件を変更してもよい。天候が雨天である場合、雨音が室内に届くようにフィルタ処理を行うことが望ましいが、雨天でない場合はそのようなフィルタ処理を行う必要がない。天候の判断方法は特に問わないが、窓ユニット２（又は窓ユニット２Ａ。以下同じ。）では、例えば、天候を示すデータを外部装置から取得する。具体的には、インターネットサービスを利用して或る特定の場所の気象状況のデータを取得する方法が考えられる。また、窓ユニット２では、センサ等を用いて天候を特定するためのデータを収集してもよい。また、フィルタ処理部２２６は、時刻（時間帯）を条件としてフィルタ条件を変更してもよい。例えば、朝又は昼の場合、室外の音を積極的に室内に到達させ、夜間においては人物Ｕの睡眠の妨げとならないように、フィルタ処理部２２６は通過させない音の種類を増やす。
【００３８】
フィルタ条件を変更する条件、又は変更後のフィルタ条件の内容は、これら以外のものであってもよい。例えば、フィルタ処理部２２６は、ディレイバッファ等を用いて、処理遅延時間を数秒以上などと大きくとることによって、人物Ｕが選択した音と類似の時間軸変化パターン、又は音色変化若しくは音量変化パターンを持つ音の音信号に対して、パターンマッチ等で判別を行い、通過させる音、又は通過させない音に関する処理を行ってもよい。
【００３９】
（変形例２）
上述した第１実施形態では、検出部２４は、振動検出子を用いて窓本体１０に入射した音を検出していた。検出部２４は、振動検出子を用いる方法以外の方法で、音を検出してもよい。例えば、検出部２４は、窓本体１０又はその近傍に配置されたマイクロフォンを用いて、音を検出してもよい。また、上述した第２実施形態の検出部６２は、マイクロフォンではなく、例えば窓７０に配置された振動検出子を用いて、室外の音を検出してもよい。要するに、検出部２４、及び検出部６２は、室外の音を検出する機能を有していればよい。更に、検出部２４は、窓枠１２又は壁Ｗの室外側の面等の、複層ガラス１４以外の位置に配置されてもよい。窓枠１２に配置された検出部２４は、当該窓枠１２の振動を検出する。壁Ｗに配置された検出部２４は、壁Ｗの振動を検出する。検出部６２も、窓７０の近傍以外の場所に配置されてもよい。
【００４０】
（変形例３）
上述した実施形態（つまり、第１実施形態、及び第２実施形態）では、窓ユニット２は、加振器を用いてガラス１４４を振動させることにより、室内に音を放射していた。窓ユニット２は、加振器を用いる方法以外の方法で音を放射してもよい。本発明の放音部は、窓本体１０（若しくは窓本体１０Ａ。以下同じ。）、又はその近傍に配置されたスピーカであってもよい。そして、このスピーカが、平面状のスピーカで、ガラス１４４の室内側の面に貼り付けられてもよい。窓本体１０又はその近傍にスピーカが配置されていることにより、人物Ｕは、窓本体１０の位置からの音として認識することができる。更に、加振器２６は、窓枠１２、又は壁Ｗの室内側の面等の、複層ガラス１４以外の位置に配置されてもよい。窓枠１２に配置された加振器２６は、当該窓枠１２を振動させる。壁Ｗに配置された加振器２６は、壁Ｗを振動させる。なお、壁Ｗに加振器２６を配置する場合、人物Ｕが窓本体１０（窓ユニット２）の方向からの音と認識することができる程度に、窓本体１０の近傍に加振器２６が配置されるとよい。
【００４１】
検出装置６０は、窓本体１０のような形態の装置（窓型の装置）であってもよい。この場合において、検出装置６０は、加振器２６のような放音のための構成を有してもよいし、有しなくてもよい。
【００４２】
（変形例４）
上述した実施形態では、窓本体１０のガラスが２枚のガラスからなる複層ガラス１４である場合を説明したが、３枚以上のガラスからなる複層ガラスが用いられてもよいし、単板のガラスが用いられてもよい。また、本発明の透光性を有する部材は、透光を有するのであれば、ガラス以外の部材であってもよい。この場合において、当該部材は、採光性の観点から板状であることが望ましい。
【００４３】
また、窓本体１０は、複層ガラス１４を有する二重窓ガラスである。窓ガラスを構成するガラスの枚数が複数枚である場合、検出部２４が配置されるガラスと、加振器２６が配置されるガラスとが異なることが望ましい。例えば、検出部２４と加振器２６との干渉を避けるために、ガラス１４２とガラス１４４との間に仕切りがある三重窓ガラスとすることが考えられる。この場合、検出部２４側と加振器２６側とで音響空間が分離されるので、より効率の高い動作（例えば、音の検出、及び音の放射に係る動作）が可能となる。
【００４４】
上述した実施形態で説明した信号処理部２２，２２Ａが配置される位置は、あくまで一例である。説明した作用効果の奏する範囲内で、別の場所に配置されてもよい。例えば、信号処理部２２，２２Ａは、窓枠１２，１２Ａの右側部１２４、下側部１２６、又は左側部１２８に配置されてもよい。また、信号処理部２２，２２Ａは、窓枠１２，１２Ａの内部ではなく、外部に配置されてもよい。ただし、信号処理部２２，２２Ａが上側部１２２に配置されていると、水分による悪影響を受けにくくなる、という効果を奏する場合がある。窓本体１０の表面を雨水や結露等の水滴が滴り落ちた場合に、その水滴は信号処理部２２，２２Ａよりも下方に落下するため、信号処理部２２，２２Ａが長期間濡れた状態になりにくいためである。
【００４５】
（変形例５）
上述した実施形態の信号処理部２２，２２Ａが実現する機能は、複数のプログラムの組み合わせによって実現され、又は、複数のハードウェア資源の連携によって実現され得る。信号処理部２２，２２Ａの機能がプログラムを用いて実現される場合、このプログラムは、磁気記録媒体（磁気テープ、磁気ディスク（ＨＤＤ（Hard Disk Drive）、ＦＤ（Flexible Disk））等）、光記録媒体（光ディスク等）、光磁気記録媒体、半導体メモリなどのコンピュータ読み取り可能な記録媒体に記憶した状態で提供されてもよいし、ネットワークを介して配信されてもよい。
【符号の説明】
【００４６】
１，１Ａ…窓ユニットシステム、２，２Ａ…窓ユニット、１０，１０Ａ…窓本体、１２…窓枠、１４…複層ガラス、１４２，１４４…ガラス、２０，２０Ａ…音源部、２２，２２Ａ…信号処理部、２４…検出部、２６…加振器、２２０…通信部、２２２…選択部、２２４，２２４Ａ…取得部、２２６…フィルタ処理部、２２８…出力部、３０…窓ガラス、４０…上側レール、５０…下側レール、６０…検出装置、６２…検出部、６４…Ａ／Ｄ変換器、６６…出力部、７０…窓、１００…森、２００…騒音源、Ｓ…放音部。
【図１】
2018078423.tif 000003
【図２】
2018078423.tif 000004
【図３】
2018078423.tif 000005
【図４】
2018078423.tif 000006
【図５】
2018078423.tif 000007
【図６】
2018078423.tif 000008
【図７】
2018078423.tif 000009